(57)【要約】【課題】本発明は、車載システムと、それを搭載した自動車に関するもので、使い勝手を良くすることを目的とするものである。【解決手段】そしてこの目的を達成するために本発明は、充電器６の制御部１３により、充電器６の近距離通信部１４を介して取得した携帯機器５の課金処理情報に関する課金処理表示を、車載機器４の表示部８に表示させる構成としたものであって、車載機器４の表示部８は、運転中でも見やすいように大きなものとなっているので、前記携帯機器５の課金処理情報に関する課金処理表示は極めて見やすく、その結果として、使い勝手の良いものとなるのである。【選択図】図６
2014099783.tif 000002
【特許請求の範囲】
【請求項１】
携帯機器への充電機能を有する充電器と、この充電器に接続された車載機器とを備え、前記充電器は、この充電器によって充電する携帯機器との間で課金処理情報に関する通信を行う第１の通信部と、前記車載機器との通信を行う第２の通信部と、これらの第１、第２の通信部および第１のメモリに接続された第１の制御部とを有し、前記車載機器は、前記充電器の第２の通信部との通信を行う第３の通信部と、この第３の通信部および第２のメモリに接続された第２の制御部と、この第２の制御部に接続された表示部とを有し、前記充電器の第１の制御部、または車載機器の第２の制御部は、前記充電器の第１の通信部を介して取得した前記携帯機器の課金処理情報に関する課金処理表示を、前記車載機器の表示部に表示させる構成とした車載システム。
【請求項２】
充電器の第１の制御部、または車載機器の第２の制御部は、前記車載機器の表示部に、携帯機器の登録画面を表示させる構成とした請求項１に記載の車載システム。
【請求項３】
充電器の第１の制御部、または車載機器の第２の制御部は、表示部に、携帯機器との再接続処理画面を表示させる構成とした請求項１または２に記載の車載システム。
【請求項４】
充電器の第１の制御部、または車載機器の第２の制御部には、ＥＴＣ（Ｅｌｅｃｔｒｏｎｉｃ  Ｔｏｌｌ  Ｃｏｌｌｅｃｔｉｏｎ）のアンテナを接続した請求項１から３のいずれか一つに記載の車載システム。
【請求項５】
充電器の第１の制御部、または車載機器の第２の制御部により表示部に、ＥＴＣ接続表示と充電状況表示の少なくとも一方の表示を、表示させる構成とした請求項１から４のいずれか一つに記載の車載システム。
【請求項６】
携帯機器と、この携帯機器への充電機能を有する充電器と、前記携帯機器を介してこの充電器に接続された車載機器とを備え、前記充電器は、この充電器によって充電する携帯機器との間で課金処理情報に関する通信を行う第１の通信部および第１のメモリに接続された第１の制御部とを有し、前記携帯機器は、前記充電器の第１の通信部と交信を行うための第２の通信部と、この第２の通信部に接続した第２の制御部と、この第２の制御部に接続した第３の通信部とを有し、前記車載機器は、前記携帯機器の第３の通信部との通信を行う第４の通信部と、この第４の通信部および第２のメモリに接続された第３の制御部と、この第３の制御部に接続された表示部とを有し、前記充電器の第１の制御部、または車載機器の第３の制御部は、前記充電器の第１の通信部、または前記車載機器の第４の通信部を介して取得した前記携帯機器の課金処理情報に関する課金処理表示を、前記車載機器の表示部に表示させる構成とした車載システム。
【請求項７】
充電器の第１の制御部、または車載機器の第３の制御部は、前記車載機器の表示部に、携帯機器の登録画面を表示させる構成とした請求項６に記載の車載システム。
【請求項８】
充電器の第１の制御部、または車載機器の第３の制御部は、表示部に、携帯機器との再接続処理画面を表示させる構成とした請求項５または６に記載の車載システム。
【請求項９】
充電器の第１の制御部、または車載機器の第３の制御部には、ＥＴＣ（Ｅｌｅｃｔｒｏｎｉｃ  Ｔｏｌｌ  Ｃｏｌｌｅｃｔｉｏｎ）のアンテナを接続した請求項６から８のいずれか一つに記載の車載システム。
【請求項１０】
充電器の第１の制御部、または車載機器の第３の制御部により表示部に、ＥＴＣ接続表示と充電状況表示の少なくとも一方の表示を、表示させる構成とした請求項６から９のいず
れか一つに記載の車載システム。
【請求項１１】
請求項１から１０のいずれか一つに記載の車載システムを、車内に搭載した自動車。
【発明の詳細な説明】
【技術分野】
【０００１】
本発明は、車載システムと、それを搭載した自動車に関するものである。
【背景技術】
【０００２】
携帯機器の一例である携帯電話に課金情報処理をさせることで、この携帯電話により各種料金、例えばコンビニエンスストアにおける料金支払いをさせるものが実用化され、利便性の高いものとなっている。
【０００３】
また、この携帯電話を自動車内に持ち込むことにより、ＥＴＣ（Ｅｌｅｃｔｒｏｎｉｃ
Ｔｏｌｌ  Ｃｏｌｌｅｃｔｉｏｎ）の料金支払いも自動的に行わせるものが、下記特許文献１で紹介されている。
【先行技術文献】
【特許文献】
【０００４】
【特許文献１】特開２００４−９４８３６号公報
【発明の概要】
【発明が解決しようとする課題】
【０００５】
上記従来例においては、携帯電話を車載ホルダに装着することで、この携帯電話への電力供給を行わせるとともに、この携帯電話のＥＴＣ機能を起動し、またこの携帯電話の表示部をＥＴＣモニターとして活用している。
【０００６】
しかしながら、携帯電話の表示部は小さくなっているので、特に運転中には見にくく、使い勝手の悪いものであった。
【０００７】
そこで、本発明は、使い勝手を向上させることを目的とするものである。
【課題を解決するための手段】
【０００８】
そしてこの目的を達成するために本発明は、携帯機器への充電機能を有する充電器と、この充電器に接続された車載機器とを備え、前記充電器は、この充電器によって充電する携帯機器との間で課金処理情報に関する通信を行う第１の通信部と、前記車載機器との通信を行う第２の通信部と、これらの第１、第２の通信部および第１のメモリに接続された第１の制御部とを有し、前記車載機器は、前記充電器の第２の通信部との通信を行う第３の通信部と、この第３の通信部および第２のメモリに接続された第２の制御部と、この第２の制御部に接続された表示部とを有し、前記充電器の第１の制御部、または車載機器の第２の制御部は、前記充電器の第１の通信部を介して取得した前記携帯機器の課金処理情報に関する課金処理表示を、前記車載機器の表示部に表示させる構成とし、これにより所期の目的を達成するものである。
【発明の効果】
【０００９】
以上のように本発明は、携帯機器への充電機能を有する充電器と、この充電器に接続された車載機器とを備え、前記充電器は、この充電器によって充電する携帯機器との間で課金処理情報に関する通信を行う第１の通信部と、前記車載機器との通信を行う第２の通信部と、これらの第１、第２の通信部および第１のメモリに接続された第１の制御部とを有し、前記車載機器は、前記充電器の第２の通信部との通信を行う第３の通信部と、この第３の通信部および第２のメモリに接続された第２の制御部と、この第２の制御部に接続された表示部とを有し、前記充電器の第１の制御部、または車載機器の第２の制御部は、前
記充電器の第１の通信部を介して取得した前記携帯機器の課金処理情報に関する課金処理表示を、前記車載機器の表示部に表示させる構成としたものであるので、使い勝手の良いものとなる。
【００１０】
すなわち、本発明は、前記充電器の第１の制御部、または車載機器の第２の制御部により、前記充電器の第１の通信部を介して取得した前記携帯機器の課金処理情報に関する課金処理表示を、この車載機器の表示部に表示させる構成としたものであって、車載機器の表示部は、運転中でも見やすいように大きなものとなっているので、前記携帯機器の課金処理情報に関する課金処理表示は極めて見やすく、その結果として、使い勝手の良いものとなるのである。
【図面の簡単な説明】
【００１１】
【図１】本発明の一実施形態にかかる車載システムを搭載した自動車を示す斜視図
【図２】本発明の一実施形態にかかる車載システムの要部を示す図
【図３】本発明の一実施形態にかかる車載システムの制御ブロック図
【図４】本発明の一実施形態にかかる車載システムの表示部を示す図
【図５】本発明の一実施形態にかかる車載システムの表示部を示す図
【図６】本発明の一実施形態にかかる車載システムの表示部を示す図
【図７】本発明の一実施形態にかかる車載システムの表示部を示す図
【図８】本発明の一実施形態にかかる車載システムの動作フローチャート
【図９】本発明の一実施形態にかかる車載システムの動作フローチャート
【図１０】本発明の一実施形態にかかる車載システムの動作フローチャート
【図１１】本発明の一実施形態にかかる車載システムの動作フローチャート
【発明を実施するための形態】
【００１２】
以下、本発明の一実施形態を、添付図面を用いて説明する。
【００１３】
図１、図２において、自動車１は、その車内２前方にハンドル３を配置している。
【００１４】
また、ハンドル３の側方には車載機器４が配置され、さらに車載機器４の後方で、下方には携帯機器５への充電機能を有する充電器６が配置されている。
【００１５】
また、充電器６には、ＥＴＣのアンテナ７が接続されているが、このアンテナ７は車内２前方で、車外から目視できる部分に配置されている。
【００１６】
つまり、ＥＴＣの道路アンテナ（図示せず）との交信が可能となるように、アンテナ７は車内２前方で、車外から目視できる部分に配置されているのである。
【００１７】
また、車載機器４は後述するように、ナビゲーション機能を備えており、その道路案内を行うためにも図２に示す表示部８を備えている。
【００１８】
本実施形態の特徴は、図２、図３〜図７に示すように、車載機器４の表示部８に、ＥＴＣ接続表示と充電状況表示と、道路地図情報表示とを、表示させる構成としたであり、この点については、以下において詳細に説明する。
【００１９】
先ず、充電器６について説明すると、この充電器６は、この充電器６上に携帯機器５が置かれたか、否かを検出する検知コイル９と、携帯機器５の充電コイル１０との間で充電を行うための充電コイル１１を備えている。
【００２０】
また、充電コイル１１は、給電制御部１２を介して制御部１３に接続されている。
【００２１】
さらに、制御部１３には、前記検知コイル９や、近距離通信部１４、メモリ１５、復号処理部１６、セキュア情報格納部１７が接続されている。
【００２２】
次に、充電器６によって充電される携帯機器５は、従来から知られている構成となっている。
【００２３】
すなわち、充電器６の充電コイル１１との間で充電を行うための充電コイル１０には、充電制御部１８を介して充電式の電池１９が接続されている。
【００２４】
また、充電制御部１８は制御部２０が接続され、この制御部２０には暗号処理部２１、セキュア情報格納部２２、近距離通信部２３、２４、通話送受信部２５、ＧＰＳ処理部２６、メモリ２７が接続されている。
【００２５】
つまり、この携帯機器５は携帯電話であるので、通話送受信部２５によって電話を行うことができる。また、メモリ２７内の地図情報とＧＰＳ処理部２６によりナビゲーション機能を発揮させることもできる。さらに、セキュア情報格納部２２内に格納された課金情報と暗号処理部２１により、各種料金、例えばＥＴＣ（Ｅｌｅｃｔｒｏｎｉｃ  Ｔｏｌｌ
Ｃｏｌｌｅｃｔｉｏｎ）の料金支払いや、コンビニエンスストアにおける料金支払いを行うことができる。
【００２６】
具体的には、近距離通信部２３を介して課金情報が入出力され、それによってこのような料金支払いが行えるようになっているのである。
【００２７】
また、ＥＴＣ（Ｅｌｅｃｔｒｏｎｉｃ  Ｔｏｌｌ  Ｃｏｌｌｅｃｔｉｏｎ）の料金支払いに関しては、下記にて詳細に説明するが、充電器６の近距離通信部１４、充電器６のＥＴＣのアンテナ７を介して行われるようになっている。
【００２８】
次に、車載機器４について説明すると、この車載機器４は図２に示す表示部８を備えており、この表示部８は制御部２８に接続されている。
【００２９】
また、制御部２８には、画像入力処理部２９、ＧＰＳ処理部３０、ハンズフリー送受信部３１、近距離通信部３２、音声入出力部３３、メモリ３４が接続されている。
【００３０】
つまり、車載機器４は、メモリ３４内の地図情報とＧＰＳ処理部３０によりナビゲーション機能を発揮させることもできる。また、ハンズフリー送受信部３１により、携帯機器５とのハンズフリー通話を行うための耳掛式の送受信器（図示せず）との交信が行える。
【００３１】
さらに、車載機器４の近距離通信部３２は、携帯機器５の近距離通信部２４とともに、例えばブルートゥースのような無線通信部であり、携帯機器５から車載機器４への映像情報や、ハンズフリー音声や、各種制御情報が、近距離無線通信によって行われる。
【００３２】
本実施形態の特徴は、上述のごとく、図２、図３〜図７に示すように、車載機器４の表示部８に、ＥＴＣ接続表示と充電状況表示と、道路地図情報表示とを、表示させる構成としたことである。
【００３３】
つまり、携帯機器５のセキュア情報格納部２２内に格納された課金情報と暗号処理部２１により、各種料金、例えばＥＴＣ（Ｅｌｅｃｔｒｏｎｉｃ  Ｔｏｌｌ  Ｃｏｌｌｅｃｔｉｏｎ）の料金支払いを行うことができる。
【００３４】
運転開始に先立ち、先ずは、目的地設定が行われるが、この部分は良く知られた部分であるので、説明の煩雑化を避けるために、説明は省略する。
【００３５】
次に、図２のごとく、携帯機器５が充電器６上に置かれると（図８のＳ１）、充電器６の検知コイル９がそれを検出し、制御部１３により給電制御部１２が駆動され、充電コイル１１に通電され、その結果として、充電コイル１０、充電制御部１８を介して携帯機器５の電池１９への充電が行われる（図８のＳ２）。
【００３６】
次に、制御部１３は、近接式の近距離通信部２３、１４を介して携帯機器５から得た情報により、携帯機器５がドライブモードに設定されているかの判定を行う（図８のＳ３）。
【００３７】
このときのドライブモードとは、携帯機器５でＥＴＣ（Ｅｌｅｃｔｒｏｎｉｃ  Ｔｏｌｌ  Ｃｏｌｌｅｃｔｉｏｎ）の料金支払いを設定しているか、否かを示すものであって、この設定がなされていないと、図２における「ＥＴＣ接続中」などの表示はなされず、図２のごとく表示部８には案内地図が表示されただけの状態となる（図８のＳ４）。
【００３８】
また、携帯機器５がドライブモードに設定されているときには、制御部１３は、先ずは表示部８に図４に示す表示を行わせる（図８のＳ５）。
【００３９】
つまり、近距離通信部１４、２３を介して携帯機器５の制御部２０に、また、近距離通信部２４、３２を介して車載機器４の制御部２８に、車載機器４の表示部８に図４に示す表示を行わせることを指示する。
【００４０】
画像入力処理部２９はそのような指示を実行するための画像情報を保持しており、制御部２８の指示により、図４のような表示をさせることが出来る。
【００４１】
図４は、充電器６のセキュア情報格納部１７内に、課金情報が登録されている携帯機器５を示しており、例えば携帯機器５として、既に２台のＰ１、Ｐ２が登録されていることを示している。
【００４２】
また、図２の状態における携帯機器５がＰ３であるときには、この図４のごとく、表示部８には、それが未設定であるので、登録アプリが起動される（図８のＳ６）。
【００４３】
なお、この状態では、図２におけるＰ３情報とその下方の情報などは表示されていない状態となる。
【００４４】
登録アプリが起動されると、携帯機器５の制御部２０から、近距離通信部２３、１４を介して充電器６の制御部１３へ通信要求がなされる（図９のＳ１１）。
【００４５】
すると、充電器６の制御部１３は、図４のごとく登録済みＰ１、Ｐ２の下方に、充電器６に載せられているＰ３の携帯機器５の課金情報と、それを登録するか、否かの操作部３５、操作部３６を表示するための指示を、近距離通信部１４、２３、２４、３２を介して、携帯機器５と車載機器４に出力し、その結果として表示部８には図４に示す表示を行う（図９のＳ１２、Ｓ１３）。
【００４６】
そして、ユーザが、この表示を確認し、登録を承認する操作部３５を操作すると（図９のＳ１４）、充電器６のセキュア情報格納部１７にＰ３の携帯機器５の課金情報が登録され、登録が完了する（図９のＳ１５、Ｓ１６）。
【００４７】
また、このようなＰ３の携帯機器５の課金情報が登録後も含め、図８のＳ７でＥＴＣアプリが起動されると、充電器６の制御部１３は、車載機器４の表示部８に図５に示す表示をさせる指示を、近距離通信部１４、２３、２４、３２を介して、車載機器４に出力する（図１０のＳ２１、Ｓ２２、Ｓ２３）。
【００４８】
つまり、表示部８にＥＴＣ接続をするか、否かを入力する操作部３７、操作部３８を表示させ（図１０のＳ２４）、ユーザが操作部３７を操作すると（図１０のＳ２５）、ＥＴＣ課金システムが起動されることになる（図１０のＳ２６）。
【００４９】
なお、今回選択した携帯機器５は、図４の状態からの理解されるように、Ｐ１、Ｐ２とは色が変更されているＰ３が選択されている。つまり、Ｐ３の携帯機器５による料金支払いが行われることになるのである。
【００５０】
その結果、車載機器４の表示部８には、図１１で説明するが、図２、図６のごとく、ＥＴＣ接続中表示３９がなされる。
【００５１】
また、本実施形態では、車載機器４の表示部８に携帯機器５の充電中表示４０もなされるように制御部１３が制御している。
【００５２】
ＥＴＣ課金システムが起動されと、充電器６の制御部１３は、車載機器４の表示部８に図６の表示を行わせ（図１１のＳ３１）、次に、図３に示す充電器６の通信部４１、アンテナ７を介してＥＴＣシステムとの交信を行い、その結果として図６のＥＴＣ接続中表示３９を表示する（図１１のＳ３２、Ｓ３３）。
【００５３】
また、続いて、充電器６の制御部１３は、車載機器４の表示部８に、充電中表示４０も行わせる（図１１のＳ３４）。
【００５４】
また、充電器６の制御部１３は、充電器６とＰ３の携帯機器５との交信状況を、近距離通信部１４、２３を介して確認しており、両者の接続が絶たれると、充電器６の制御部１３は、車載機器４の表示部８に図７に示す表示を行わせる（図１１のＳ３５）。
【００５５】
例えば、Ｐ３の携帯機器５に電話がかかってきたので、充電器６から取り上げた時がそれにあたり、このときには、充電器６とＰ３の携帯機器５との近距離通信部１４、２３が絶たれた状態であるが、携帯機器５と車載機器４の近距離通信部２４、３２は無線通信であるので、このときにも、表示部８には図７に示す表示を行わせることが出来る（これを避けるためにはハンズフリー送受信部３１を活用することが好ましい）。
【００５６】
勿論、充電器６の制御部１３と、車載機器４の制御部２８をリード線（図示せず）で接続することで、この充電器６と車載機器４間の接続状態を常に確保しておくこともできる。
【００５７】
この場合、充電器６側には、近距離通信部１４とは別に通信部（特許請求の範囲の請求項１から５で表現する第２の通信部として）が設けられ、また車載機器４側にも、さらに別の通信部（特許請求の範囲の請求項１から５で表現する第３の通信部として）が設けられる。
【００５８】
なお、図３においては、近距離通信部１４は、特許請求の範囲の請求項１から５で表現する第１の通信部、第２の通信部を兼用した状態となっており、また近距離通信部３２が特許請求の範囲の請求項１から５で表現する第３の通信部となっている。これは、充電器６と車載機器４を、携帯機器５を介して接続したからであり、充電器６と車載機器４を上
述のごとくリード線（図示せず）や無線で接続すれば、それらは独立した第１〜第３の通信部とすることもできる。
【００５９】
再び、動作説明に戻ると、図７においては、ＥＴＣの再接続を行うか否かの操作部４２、操作部４３が表示されているので、ユーザはＰ３の携帯機器５を充電器６に置き、操作部４２を操作することになる（図１１のＳ３６、Ｓ３７）。
【００６０】
また、操作部４３を操作すると、ＥＴＣ接続が行われず、表示部８からはＥＴＣ接続中表示３９の消えることとなる（図１１のＳ３８、Ｓ３９）。
【００６１】
以上のように、本実施形態では前記充電器６の制御部１３により、前記充電器６の近距離通信部１４を介して取得した前記携帯機器５の課金処理情報に関する課金処理表示を、車載機器４の表示部８に表示させる構成としたものであって、車載機器４の表示部８は、運転中でも見やすいように大きなものとなっているので、前記携帯機器５の課金処理情報に関する課金処理表示は極めて見やすく、その結果として、使い勝手の良いものとなるのである。
【００６２】
また、上記実施形態では、前記充電器６の制御部１３により、前記充電器６の近距離通信部１４を介して取得した前記携帯機器５の課金処理情報に関する課金処理表示を、車載機器４の表示部８に表示させる構成としたが、車載機器４の制御部２８によって、前記充電器６の近距離通信部１４を介して取得した前記携帯機器５の課金処理情報に関する課金処理表示を、車載機器４の表示部８に表示させる構成としても良い。
【００６３】
また、このように充電器６の近距離通信部１４を介して取得した前記携帯機器５の課金処理情報に関する課金処理表示を、車載機器４の表示部８に表示させる構成とするためには、充電器６の制御部１３と車載機器４の制御部２８をリード線（図示せず）で接続するか、この両者間を無線接続することが好ましい。
【００６４】
さらに、上記実施形態では、前記充電器６の制御部１３により、この充電器６の近距離通信部１４を介して前記携帯機器５の課金処理情報を取得し、車載機器４の表示部８に課金処理表示を行わせる構成としたが、車載機器４の制御部２８によって、その近距離通信部３２を介して前記携帯機器５の課金処理情報を取得し、車載機器４の表示部８に課金処理表示を行わせる構成としても良い。
【産業上の利用可能性】
【００６５】
以上のごとく本発明は充電器の第１の制御部、または車載機器の第２の制御部により、前記充電器の第１の通信部を介して取得した前記携帯機器の課金処理情報に関する課金処理表示を、この車載機器の表示部に表示させる構成としたものであって、車載機器の表示部は、運転中でも見やすいように大きなものとなっているので、前記携帯機器の課金処理情報に関する課金処理表示は極めて見やすく、その結果として、使い勝手の良いものとなるのである。
【００６６】
したがって、車載システム、およびそれを搭載した自動車としての活用が期待されるものとなる。
【符号の説明】
【００６７】
１    自動車
２    車内
３    ハンドル
４    車載機器
５    携帯機器
６    充電器
７    アンテナ
８    表示部
９    検知コイル
１０  充電コイル
１１  充電コイル
１２  給電制御部
１３  制御部
１４  近距離通信部
１５  メモリ
１６  復号処理部
１７  セキュア情報格納部
１８  充電制御部
１９  電池
２０  制御部
２１  暗号処理部
２２  セキュア情報格納部
２３  近距離通信部
２４  近距離通信部
２５  通話送受信部
２６  ＧＰＳ処理部
２７  メモリ
２８  制御部
２９  画像入力処理部
３０  ＧＰＳ処理部
３１  ハンズフリー送受信部
３２  近距離通信部
３３  音声入出力部
３４  メモリ
３５  操作部
３６  操作部
３７  操作部
３８  操作部
３９  ＥＴＣ接続中表示
４０  充電中表示
４１  通信部
４２  操作部
４３  操作部
【図１】
2014099783.tif 000003
【図２】
2014099783.tif 000004
【図３】
2014099783.tif 000005
【図４】
2014099783.tif 000006
【図５】
2014099783.tif 000007
【図６】
2014099783.tif 000008
【図７】
2014099783.tif 000009
【図８】
2014099783.tif 000010
【図９】
2014099783.tif 000011
【図１０】
2014099783.tif 000012
【図１１】
2014099783.tif 000013